(57)【要約】      （修正有）【課題】直線状の安定部を備える伸縮パイプの安定構造を提供する。【解決手段】内径寸法が一定であり、内部端１１と外部端１２とを有し、内部端の外壁に少なくとも３つの縦方向の直線状の安定部１１１が突設され、かつ内壁に対応する凹みが形成され、各直線状の安定部の外縁に沿って直線状の安定部の外径が形成され、直線状の安定部の少なくとも１つが当て止め面１１１１を備え、当て止め面が直線状の安定部の外部端に近い側に設けられる第１パイプ１と、内径が第１パイプの外径及び直線状の安定部の外径より大きく、上部端２１と下部端２２とを有し、上部端に開口部を備えた当て止め部３が設けられる第２パイプ２と、を含む伸縮パイプの安定構造であって、第２パイプが第１パイプに外嵌され、外部端が開口部から突出し、外部端及び下部端が反対方向に引っ張られる場合に、直線状の安定部の当て止め面が当て止め部に突き当たられると、外部端が第２パイプ外に完全に露出され、内部端が第２パイプ内に残る。【選択図】図４
0003226607.tif 000002
【実用新案登録請求の範囲】
【請求項１】
内径寸法が一定であり、内部端と外部端とを有し、前記内部端の外壁に少なくとも３つの縦方向の直線状の安定部が突設され、前記内部端の内壁に各前記直線状の安定部に対応する凹みが形成され、各前記直線状の安定部の外縁に沿って前記直線状の安定部の外径が形成され、前記直線状の安定部の少なくとも１つが当て止め面を備え、前記当て止め面が前記直線状の安定部の前記外部端に近い側に設けられ、前記当て止め面と前記第１パイプの成す角が直角に近い第１パイプと、
内径が前記第１パイプの外径及び前記直線状の安定部の外径より大きく、上部端と下部端とを有し、前記上部端に、内径が前記第１パイプの外径より大きく、かつ前記直線状の安定部の外径より小さい開口部を備えた当て止め部が設けられる第２パイプと、を含む伸縮パイプの安定構造であって、
前記第２パイプが前記第１パイプに外嵌され、前記第１パイプが前記第２パイプ内にスライド可能であり、前記外部端が前記開口部から突出し、前記外部端及び前記下部端が反対方向に引っ張られる場合に、前記第２パイプ外に露出する前記外部端の長さが、前記直線状の安定部の前記当て止め面が前記当て止め部に突き当たられるように伸びると、前記外部端が前記第２パイプ外に完全に露出され、前記内部端が前記第２パイプ内に残り、前記直線状の安定部によって前記第１パイプと前記第２パイプとの隙間が縮小されることで、前記第１パイプを前記第２パイプ内に安定してスライド可能とすることを特徴とする、伸縮パイプの安定構造。
【請求項２】
各前記直線状の安定部は、互に平行で、かつ前記第１パイプに対して平行であることを特徴とする、請求項１に記載の伸縮パイプの安定構造。
【請求項３】
前記当て止め部は、締め具が設けられる拘束部材であり、前記締め具が締め付けられると、前記第１パイプが前記第２パイプに対してスライド不能であり、前記締め具が緩められると、前記第１パイプが前記第２パイプに対してスライド可能であることを特徴とする、請求項１に記載の伸縮パイプの安定構造。
【請求項４】
各前記直線状の安定部は、複数の突出点であることを特徴とする、請求項１に記載の伸縮パイプの安定構造。
【請求項５】
各前記直線状の安定部は、複数の線分であることを特徴とする、請求項１に記載の伸縮パイプの安定構造。
【考案の詳細な説明】
【技術分野】
【０００１】
本考案は、伸縮パイプの安定構造に関し、特に、直線状の安定部を備える安定構造に関する。
【背景技術】
【０００２】
従来の伸縮パイプの安定構造は、外管と、外管内にスライドできる内管とを備える。相対移動時に内管と外管との安定性を高め、かつ引張時に内管と外管とが互いに分離しないようにするために、内管の一方の端部に、ゴムが貼り付けられるか、横方向の環状突起又は円弧状突起が設けられる。
【０００３】
上記従来の伸縮パイプ安定構造は、内管と外管の移動時の安定性を実現し、かつ分離という問題を防止することができる。伸縮パイプは、単一の安定構造のみを使用してもよく、安定性を強化させるために、２つの安定構造を同時に使用してもよい。しかしながら、既存の安定構造は、安定性を高めるために、いずれもゴムの厚さと突起の高さとを増す必要があり、それにより、内管と外管との間の隙間が縮小され、安定機能を実現することができる。その欠点としては、外管と内管の間に寸法公差や形状公差がある場合に、安定性を高めると同時に、内管の安定構造の同一断面に外管との接点を複数持つため、内管と外管の摺動が滑らかにならず、「摺動不能」という状況があることである。
【考案の概要】
【考案が解決しようとする課題】
【０００４】
従来の伸縮パイプが安定性を高めるために発生する「摺動不能」という問題を解消するため、本考案は、第１パイプの内径寸法が一定であることを前提として、第１パイプの内部端の外壁に少なくとも３つの縦方向の直線状の安定部が突設され、また、前記直線状の安定部の少なくとも１つに当て止め面が設けられる伸縮パイプの安定構造を提供する。前記直線状の安定部により、第１パイプと第２パイプとの隙間が縮小され、安定性が高くなる。また、前記直線状の安定部の少なくとも１つに当て止め面が設けられることにより、当て止め面と第２パイプの当て止め部との突き当てがより多くなり、第１パイプと第２パイプとの分離を防止することができる。
【課題を解決するための手段】
【０００５】
上記技術的課題を解決するために、本考案は以下の技術的手段を採用する。内径寸法が一定であり、内部端と外部端とを有し、前記内部端の外壁に少なくとも３つの縦方向の直線状の安定部が突設され、前記内部端の内壁に各前記直線状の安定部に対応する凹みが形成され、各前記直線状の安定部の外縁に沿って前記直線状の安定部の外径が形成され、前記直線状の安定部の少なくとも１つが当て止め面を備え、前記当て止め面が前記直線状の安定部の外部端に近い側に設けられ、前記当て止め面と前記第１パイプの成す角が直角に近い第１パイプと、内径が前記第１パイプの外径及び前記直線状の安定部の外径より大きく、上部端と下部端とを有し、前記上部端に、内径が前記第１パイプの外径より大きく、かつ前記直線状の安定部の外径より小さい開口部を備えた当て止め部が設けられる第２パイプと、を含む伸縮パイプの安定構造であって、前記第２パイプが第１パイプに外嵌され、前記第１パイプが前記第２パイプ内にスライド可能であり、前記外部端が前記開口部から突出し、前記外部端及び前記下部端が反対方向に引っ張られる場合に、前記第２パイプ外に露出する前記外部端の長さが、前記直線状の安定部の前記当て止め面が前記当て止め部に突き当たられるように伸びると、前記外部端が前記第２パイプ外に完全に露出され、前記内部端が前記第２パイプ内に残り、前記直線状の安定部によって前記第１パイプと前記第２パイプとの隙間が縮小されることで、前記第１パイプを前記第２パイプ内に安定してスライド可能とすることを特徴とする。
【０００６】
好ましくは、各前記直線状の安定部は、互に平行で、かつ前記第１パイプに対して平行である。
【０００７】
好ましくは、前記当て止め部は、締め具が設けられる拘束部材であり、前記締め具が締め付けられると、前記第１パイプが前記第２パイプに対してスライド不能であり、前記締め具が緩められると、前記第１パイプが前記第２パイプに対してスライド可能である。
【０００８】
好ましくは、各前記直線状の安定部は、複数の突出点である。
【０００９】
好ましくは、各前記直線状の安定部は、複数の線分である。
【考案の効果】
【００１０】
本考案は、少なくとも３つの縦方向の直線状の安定部を用いることで、第１パイプの内部端の横断面に少なくとも３個の外突出点を備え、前記内部端の第２パイプ内のスライド安定性を高めると共に、スムーズ性を保持することができる。それにより、第２パイプの管径が非円形であり、又は、第２パイプ内壁に溶接継目があることによる「摺動不能」という問題を防止することができる。
【図面の簡単な説明】
【００１１】
【図１】本考案の実施例１に係る第１パイプを示す模式図である。
【図２】本考案の実施例１のＡ−Ａ線に沿った横断面模式図である。
【図３Ａ】本考案の実施例１のＢ−Ｂ線に沿った横断面模式図である。
【図３Ｂ】本考案の実施例１のＢ−Ｂ線に沿った横断面の部分拡大模式図である。
【図４】本考案の実施例１の分解模式図である。
【図５】本考案の実施例１の組立模式図である。
【図６Ａ】本考案の実施例１に係る外部端と下部端が反対方向に引っ張られる前の組立横断面模式図である。
【図６Ｂ】図６Ｂは、本考案の実施例１に係る外部端と下部端が反対方向に引っ張られた後の組立横断面模式図である。
【図６Ｃ】本考案の実施例１に係る外部端と下部端が反対方向に引っ張られた後の組立横断面の部位Ｅ拡大模式図である。
【図７Ａ】本考案の実施例２の組立模式図である。
【図７Ｂ】本考案の実施例２のＣ−Ｃ線に沿った横断面模式図である。
【図７Ｃ】本考案の実施例２のＣ−Ｃ線に沿った横断面の部位Ｆ拡大模式図である。
【図８】本考案の実施例３に係る第１パイプを示す模式図である。
【図９】本考案の実施例４に係る第１パイプを示す模式図である。
【考案を実施するための形態】
【００１２】
以下、図１乃至図９を参照しながら本考案の実施形態を説明する。この説明は、本考案の実施形態を限定するものではなく、本考案の実施形態を例示するものである。
【００１３】
図１乃至図６Ｃに示すように、本考案の実施例１に係る伸縮パイプの安定構造は、内径寸法が一定であり、内部端１１と外部端１２とを有し、前記内部端１１の外壁に少なくとも３つの縦方向の直線状の安定部１１１が突設され、図２に示すように、前記内部端１１の内壁に各前記直線状の安定部１１１に対応する凹み１１１２が形成され、各前記直線状の安定部１１１の外縁に沿って直線状の安定部の外径１３が形成され、図３Ａ及び図３Ｂに示すように、前記直線状の安定部１１１の少なくとも１つが当て止め面１１１１を備え、前記当て止め面１１１１が前記直線状の安定部１１１の外部端１２に近い側に設けられ、前記当て止め面１１１１と前記第１パイプ１の成す角が直角に近い第１パイプ１と、図４乃至図６Ｃに示すように、内径が前記第１パイプ１の外径及び前記直線状の安定部１１１の外径より大きく、上部端２１と下部端２２とを有し、前記上部端２１に、内径が前記第１パイプ１の外径より大きく、かつ前記直線状の安定部１１１の外径より小さい開口部４を備えた当て止め部３が設けられる第２パイプ２と、を含む伸縮パイプの安定構造であって、図６Ａに示すように、前記第２パイプ２が第１パイプ１に外嵌され、前記第１パイプ１が前記第２パイプ２内にスライド可能であり、前記外部端１２が前記開口部４から突出し、図６Ｂ及び図６Ｃに示すように、前記外部端１２及び前記下部端２２が反対方向に引っ張られる場合に、前記第２パイプ２外に露出する前記外部端１２の長さが、前記直線状の安定部１１１の前記当て止め面１１１１が前記当て止め部３に突き当たられるように伸びると、外部端１２が前記第２パイプ２外に完全に露出され、前記内部端１１が前記第２パイプ２内に残り、前記直線状の安定部１１１によって前記第１パイプ１と前記第２パイプ２との隙間が縮小されることで、前記第１パイプ１を前記第２パイプ２内に安定してスライド可能とすることを特徴とするものである。
【００１４】
好ましくは、第１パイプ１及び第２パイプ２のスライドをより円滑にするため、各前記直線状の安定部１１１は、互に平行で、かつ前記第１パイプ１に対して平行である。
【００１５】
図７Ａ乃至図７Ｃに示すように、本考案の実施例２に係る伸縮パイプの安定構造は、前記当て止め部３が、締め具３１１が設けられる拘束部材３１であり、前記締め具３１１が締め付けられると、前記第１パイプ１が前記第２パイプ２に対してスライド不能であり、前記締め具３１１が緩められると、前記第１パイプ１が前記第２パイプ２に対してスライド可能である。前記拘束部材３１の前記開口部４の内径は、前記第１パイプ１の外径より大きく、かつ前記直線状の安定部外径１３より小さい。第１パイプ１と第２パイプ２が反対方向に引っ張られる場合には、前記直線状の安定部１１１の前記当て止め面１１１１が前記拘束部材３１に突き当たられると、外部端１２が前記第２パイプ２外に完全に露出され、前記内部端１１が前記第２パイプ２内に残り、前記直線状の安定部１１１によって前記第１パイプ１と前記第２パイプ２の隙間とが縮小されることで、前記第１パイプ１を前記第２パイプ２内に安定してスライド可能とする。
【００１６】
本考案の実施例３乃至実施例４の分解図、組立模式図及び透視図は、実施例１の分解図（図４）、組立模式図（図５）及び透視図（６Ａ乃至図６Ｃ）と同じであるため、以下では、各実施例の直線状の安定部１１１の相違点について説明する。
【００１７】
好ましくは、図８に示すように、本考案の実施例３に係る伸縮パイプの安定構造は、１つの直線状の安定部１１１が複数の突出点１１２で構成される。本実施例は、前記第１パイプ１の素材の延性に対する要求を低減することができ、変形が大きすぎて前記第１パイプが破損することを防止することができる。
【００１８】
好ましくは、図９に示すように、本考案の実施例４に係る伸縮パイプの安定構造は、各前記直線状の安定部１１１が複数の線分１１３で構成される。本実施例は、前記第１パイプ１の素材の延性に対する要求を低減することができ、変形が大きすぎて前記第１パイプが破損することを防止することができる。
【００１９】
上記の詳細な説明は、本考案の好ましい実施例を具体的に説明するためのものに過ぎず、当業者であれば、本考案の実用新案登録請求の範囲及び上記の説明に基づいて他の変更を行うことができる。ただし、これらの変更は、本考案の趣旨に合致するものであり、本考案の権利範囲内に含まれるべきである。
【符号の説明】
【００２０】
１：第１パイプ
１１：内部端
１１１：直線状の安定部
１１１１：当て止め面
１１１２：凹み
１１２：突出点
１１３：線分
１２：外部端
１３：直線状の安定部の外径
２：第２パイプ
２１：上部端
２２：下部端
３：当て止め部
３１：拘束部材
３１１：締め具
４：開口部
【図１】
0003226607.tif 000003
【図２】
0003226607.tif 000004
【図３Ａ】
0003226607.tif 000005
【図３Ｂ】
0003226607.tif 000006
【図４】
0003226607.tif 000007
【図５】
0003226607.tif 000008
【図６Ａ】
0003226607.tif 000009
【図６Ｂ】
0003226607.tif 000010
【図６Ｃ】
0003226607.tif 000011
【図７Ａ】
0003226607.tif 000012
【図７Ｂ】
0003226607.tif 000013
【図７Ｃ】
0003226607.tif 000014
【図８】
0003226607.tif 000015
【図９】
0003226607.tif 000016